(57)【要約】【課題】受信電力の絶対値を正確に得ることができるとともに、次世代のＰＨＳにも対応した通信装置および受信電力測定方法を提供する。【解決手段】ＡＤＣ１１から出力されるデジタル化された受信信号にフィルタ処理を行うフィルタ１２、フィルタ１２から出力される、フィルタリングされた受信信号からガードインターバルを除去するＧＩ除去部１３、ＧＩを除去した後の受信信号に高速フーリエ変換を施すＦＦＴ部１４、ＦＦＴ処理後の受信信号と、ＦＦＴ処理を経ないスロット受信電力とに基づいて、１サブチャネルあたりの受信電力の絶対値であるサブチャネル受信電力を測定するサブチャネル受信電力測定部１５と、スロット受信電力ＲＳＳＩを受けてデジタル信号に変換してサブチャネル受信電力測定部１５に与えるＡＤＣ１６とを有している。【選択図】図３
2010226696.tif 000002
【特許請求の範囲】
【請求項１】
ＯＦＤＭＡ（Orthogonal Frequency Division Multiple Access）方式で通信を行う通信装置であって、受信信号と、該受信信号の１スロット中の複数の測定点においてそれぞれ測定した受信電力をスロット受信電力として出力する無線部と、
前記受信信号にフーリエ変換処理を施すフーリエ変換部と、
前記フーリエ変換部の出力と、前記スロット受信電力とを受け、１サブチャネルあたりの受信電力の絶対値であるサブチャネル受信電力を測定するサブチャネル受信電力測定部とを備え、
前記サブチャネル受信電力測定部は、前記フーリエ変換部の出力に基づいて、１つのサブチャネルの相対受信電力値と１スロット内の全サブチャネルについての相対受信電力値の加算値とを求めて、前記１つのサブチャネルの相対受信電力値の比率を算出し、前記スロット受信電力を前記測定点の個数で除算して得たスロット受信電力の平均値と乗算することで前記サブチャネル受信電力を算出する、通信装置。
【請求項２】
前記サブチャネル受信電力測定部は、
前記通信装置が、ＴＣＣＨ（Timing Correct Channel）とＳＣＣＨ（Signaling Control Channel）とを同時に受信した場合に、
前記スロット受信電力の複数の測定点においてそれぞれ測定した前記スロット受信電力のうち、ＳＣＣＨのみの電力が含まれる第１のスロット受信電力を、ＴＣＣＨの電力とＳＣＣＨとの電力とを含む第２のスロット受信電力から差し引くことで、１つのサブスロットにおけるＴＣＣＨの受信電力の絶対値を算出する、請求項１記載の通信装置。
【請求項３】
前記フーリエ変換部の出力を受け、前記ＴＣＣＨの受信信号と参照信号との複素共役をサブキャリアごとに乗算する複素共役乗算部と、
前記複素共役乗算部での乗算後の信号を逆フーリエ変換することで、前記ＴＣＣＨの受信信号について前記参照信号との相関値を前記ＴＣＣＨの全パターンについて算出して前記サブチャネル受信電力測定部に与える逆フーリエ変換部とをさらに備え、
前記サブチャネル受信電力測定部は、
前記ＴＣＣＨの全パターンの前記相関値の加算値に対する特定のＴＣＣＨの相関値の比率を算出し、前記ＴＣＣＨの受信電力の絶対値と乗算することで、１つのサブスロットにおける前記特定のＴＣＣＨの受信電力の絶対値を算出する、請求項２記載の通信装置。
【請求項４】
前記サブチャネル受信電力測定部は、
前記通信装置が複数の異なる通信チャネルを同時に受信した場合に、
前記スロット受信電力の複数の測定点においてそれぞれ測定した前記スロット受信電力のうち、前記複数の異なる通信チャネルのうち１のスロット受信電力を含む第１のスロット受信電力と、前記複数の異なる通信チャネルのそれぞれのスロット受信電力を含む第２のスロット受信電力との差分を用いて、１つのサブスロットにおける特定の通信チャネルの受信電力の絶対値を算出する、請求項１記載の通信装置。
【請求項５】
前記フーリエ変換部によって周波数領域の信号に変換された前記複数の異なる通信チャネルのうち、特定の時間における１つの通信チャネルの全パターンの信号に対してそれぞれ相関演算を行い、それらの相関値の加算値に対して特定のパターンの相関値の比率を算出し、前記特定の通信チャネルの受信電力の絶対値と乗算することで、前記特定の時間における前記特定のパターンに対応する信号の受信電力の絶対値を算出する、請求項４記載の通信装置。
【請求項６】
ＯＦＤＭＡ（Orthogonal Frequency Division Multiple Access）方式で通信を行う通信装置であって、
複数のアンテナと、
前記複数のアンテナにそれぞれに対応して設けられた、
受信信号と、該受信信号の１スロット中の複数の測定点においてそれぞれ測定した受信電力をスロット受信電力として出力する無線部および前記受信信号にフーリエ変換処理を施すフーリエ変換部と、
前記複数のアンテナにそれぞれに対応して設けられた前記無線部から出力される前記スロット受信電力を受け、アンテナ間での最大値を最大スロット受信電力として出力する最大値検出部と、
前記フーリエ変換部の出力と、前記最大スロット受信電力とを受け、１サブチャネルあたりの受信電力の絶対値であるサブチャネル受信電力を測定するサブチャネル受信電力測定部とを備え、
前記サブチャネル受信電力測定部は、前記フーリエ変換部の出力に基づいて、１スロット内の１つのサブチャネルに対応する相対受信電力値と１スロット内の全サブチャネルについての相対受信電力値の加算値とを求めて、前記１つのサブチャネルの相対受信電力値の比率を算出し、前記最大スロット受信電力と乗算することで前記サブチャネル受信電力を算出する、通信装置。
【請求項７】
前記サブチャネル受信電力測定部は、
前記サブチャネル受信電力の算出において、前記最大スロット受信電力からブーストアップ分の電力を差し引く、請求項６記載の通信装置。
【請求項８】
前記サブチャネル受信電力測定部は、
前記通信装置が、ＴＣＣＨ（Timing Correct Channel）を受信した場合に、
前記スロット受信電力の複数の測定点において測定した前記スロット受信電力のそれぞれについて、１スロット内の１つのサブチャネルに対応する相対受信電力値と１スロット内の全サブチャネルについての相対受信電力値の加算値とを求めて、前記１つのサブチャネルの相対受信電力値の比率を算出し、前記スロット受信電力に乗算するとともに、ＴＣＣＨが含まれるサブチャネルの電力に対するＴＣＣＨの電力の比を乗算することで、１つのサブスロットにおけるＴＣＣＨの受信電力の絶対値を算出する、請求項６記載の通信装置。
【請求項９】
前記サブチャネル受信電力測定部は、
前記ＴＣＣＨの受信電力の絶対値の算出において、ＴＣＣＨが含まれないサブチャネルの電力からブーストアップ分の電力を差し引く、請求項８記載の通信装置。
【請求項１０】
前記サブチャネル受信電力測定部は、
複数のＴＣＣＨを同じタイミングで受信した場合、あるいは複数のＴＣＣＨを同じサブスロットで受信した場合、あるいは複数のＴＣＣＨを同じサブチャネルで受信した場合に、
前記ＴＣＣＨの受信電力の絶対値に、
ＴＣＣＨの相関平均値に対する相関ピーク値の比が相関演算の対象となる総シンボル数に対してどの程度の比率となるかの値を乗算することで、算出対象たるＴＣＣＨの受信電力の絶対値を算出する、請求項８記載の通信装置。
【請求項１１】
ＯＦＤＭＡ（Orthogonal Frequency Division Multiple Access）方式で通信を行う場合の受信電力測定方法であって、
受信信号と、該受信信号の１スロット中の複数の測定点においてそれぞれ測定した受信電力であるスロット受信電力とを受け、
前記受信信号にフーリエ変換処理を施した結果に基づいて、１つのサブチャネルの相対受信電力値と１スロット内の全サブチャネルについての相対受信電力値の加算値とを求めて、前記１つのサブチャネルの相対受信電力値の比率を算出し、前記スロット受信電力を前記測定点の個数で除算して得たスロット受信電力の平均値と乗算することで前記サブチャネル受信電力を算出する、受信電力測定方法。
【請求項１２】
ＴＣＣＨ（Timing Correct Channel）とＳＣＣＨ（Signaling Control Channel）とを同時に受信した場合に、
前記スロット受信電力の複数の測定点においてそれぞれ測定した前記スロット受信電力のうち、ＳＣＣＨのみの電力が含まれる第１のスロット受信電力を、ＴＣＣＨの電力とＳＣＣＨとの電力とを含む第２のスロット受信電力から差し引くことで、１つのサブスロットにおけるＴＣＣＨの受信電力の絶対値を算出する、請求項１１記載の受信電力測定方法。
【請求項１３】
前記受信信号にフーリエ変換処理を施した結果を受け、前記ＴＣＣＨの受信信号と参照信号との複素共役をサブキャリアごとに乗算し、
前記乗算後の信号を逆フーリエ変換することで、前記ＴＣＣＨの受信信号について前記参照信号との相関値を前記ＴＣＣＨの全パターンについて算出し、
前記ＴＣＣＨの全パターンの前記相関値の加算値に対する特定のＴＣＣＨの相関値の比率を算出し、前記ＴＣＣＨの受信電力の絶対値と乗算することで、１つのサブスロットにおける前記特定のＴＣＣＨの受信電力の絶対値を算出する、請求項１２記載の受信電力測定方法。
【請求項１４】
複数の異なる通信チャネルを同時に受信した場合に、
前記スロット受信電力の複数の測定点においてそれぞれ測定した前記スロット受信電力のうち、前記複数の異なる通信チャネルのうち１のスロット受信電力を含む第１のスロット受信電力と、前記複数の異なる通信チャネルのそれぞれのスロット受信電力を含む第２のスロット受信電力との差分を用いて、１つのサブスロットにおける特定の通信チャネルの受信電力の絶対値を算出する、請求項１１記載の受信電力測定方法。
【請求項１５】
周波数領域の信号に変換された前記複数の異なる通信チャネルのうち、特定の時間における１つの通信チャネルの全パターンの信号に対してそれぞれ相関演算を行い、それらの相関値の加算値に対して特定のパターンの相関値の比率を算出し、前記特定の通信チャネルの受信電力の絶対値と乗算することで、前記特定の時間における前記特定のパターンに対応する信号の受信電力の絶対値を算出する、請求項１４記載の受信電力測定方法。
【請求項１６】
複数のアンテナを介してＯＦＤＭＡ（Orthogonal Frequency Division Multiple Access）方式で通信を行う場合の受信電力測定方法であって、
受信信号と、該受信信号の１スロット中の複数の測定点においてそれぞれ測定した受信電力であるスロット受信電力とを受け、
前記受信信号にフーリエ変換処理を施した結果に基づいて、１つのサブチャネルの相対受信電力値と１スロット内の全サブチャネルについての相対受信電力値の加算値とを求めて、前記１つのサブチャネルの相対受信電力値の比率を算出し、前記複数のアンテナ間での前記スロット受信電力の最大値である最大スロット受信電力と乗算することで前記サブチャネル受信電力を算出する、受信電力測定方法。
【請求項１７】
前記サブチャネル受信電力の算出において、前記最大スロット受信電力からブーストアップ分の電力を差し引く、請求項１６記載の受信電力測定方法。
【請求項１８】
ＴＣＣＨ（Timing Correct Channel）を受信した場合に、
前記スロット受信電力の複数の測定点において測定した前記スロット受信電力のそれぞれについて、１スロット内の１つのサブチャネルに対応する相対受信電力値と１スロット内の全サブチャネルについての相対受信電力値の加算値とを求めて、前記１つのサブチャネルの相対受信電力値の比率を算出し、前記スロット受信電力に乗算するとともに、ＴＣＣＨが含まれるサブチャネルの電力に対するＴＣＣＨが含まれないサブチャネルの電力の比を乗算することで１つのサブスロットにおけるＴＣＣＨの受信電力の絶対値を算出する、請求項１６記載の受信電力測定方法。
【請求項１９】
前記ＴＣＣＨの受信電力の絶対値の算出において、ＴＣＣＨが含まれないサブチャネルの電力からブーストアップ分の電力を差し引く、請求項１８記載の受信電力測定方法。
【請求項２０】
複数のＴＣＣＨを同じタイミングで受信した場合、あるいは複数のＴＣＣＨを同じサブスロットで受信した場合、あるいは複数のＴＣＣＨを同じサブチャネルで受信した場合に、
前記ＴＣＣＨの受信電力の絶対値に、
ＴＣＣＨの相関平均値に対する相関ピーク値の比が相関演算の対象となる総シンボル数に対してどの程度の比率となるかの値を乗算することで、算出対象たるＴＣＣＨの受信電力の絶対値を算出する、請求項１８記載の受信電力測定方法。
【発明の詳細な説明】
【技術分野】
【０００１】
本発明はＯＦＤＭＡ（Orthogonal Frequency Division Multiple Access）方式で通信を行う通信装置および受信電力測定方法に関し、特にサブチャネルの受信電力の測定に関する。
【背景技術】
【０００２】
ＯＦＤＭ（Orthogonal Frequency Division Multiplexing）方式での通信において、サブチャネルの受信レベルを測定する従来の方法について、特許文献１に開示されるマルチキャリア変調信号復調器を例に採って説明する。
【０００３】
図１０は、特許文献１に示されるマルチキャリア変調信号復調器の構成を示すブロック図である。
【０００４】
図１０において、受信信号Ａは、１ＯＦＤＭシンボル長単位でフーリエ変換器１に入力され、サブキャリア数の受信ベクトル値Ｂに変換される。
【０００５】
次にチャネル特性推定手段２は、送信バースト信号の先頭部分に付加される既知信号（プリアンブル信号）と、受信ベクトル値Ｂの既知信号相当部分とを比較して、各サブチャネルの推定伝搬伝達関数Ｃを計算する。
【０００６】
チャネル特性推定手段２により得られた推定伝搬伝達関数Ｃは、受信レベル検出手段５にも入力され、受信レベル検出手段５はサブチャネル毎の推定伝搬伝達関数Ｃのベクトルの大きさや大きさの２乗値を求め、受信レベル信号Ｆを得る。
【先行技術文献】
【特許文献】
【０００７】
【特許文献１】特許第３５９４８２８号明細書
【発明の概要】
【発明が解決しようとする課題】
【０００８】
以上説明したように、従来においてはフーリエ変換器から出力された信号のみを使用してサブチャネルの受信電力を測定するが、この方法は以下の問題点を有している。
【０００９】
まず、仮にフーリエ変換器から出力される信号の大きさがある一定の値になるようにフーリエ変換器内でシフト処理がなされていた場合、その結果から算出される受信電力はサブチャネルごとの相対値でしかなく、受信電力の絶対値を得ることはできない。移動端末器の送信電力制御を行う場合には、各サブチャネルの受信電力の絶対値が必要になるので、従来の方法では対処できない。
【００１０】
また、仮に、フーリエ変換器内で上述したようなシフト処理がなされていない場合は、フーリエ変換器の出力から算出される受信電力はサブチャネルごとの絶対値となるが、受信電力が低い場合には、フーリエ変換器の出力信号自体も小さくなり、デジタル処理を行う場合に量子化誤差の影響が大きくなり、性能的に問題が生じる。
【００１１】
また、次世代のＰＨＳ（Personal Handyphone System）では１スロットは１９個のＯＦＤＭシンボルで構成されるが、３個のＯＦＤＭシンボルしか送信されないＴＣＣＨ（Timing Correct Channel）という特殊なチャネルも存在する。フーリエ変換（ＦＦＴ）処理後の信号からは、時間軸の情報が失われるので、従来の方法ではＴＣＣＨのような特殊なチャネルを含んだ場合や、データが含まれないＤＴＸ（Discontinuous Transmission）などでは受信電力の測定が困難である。
【００１２】
本発明は上記のような問題点を解消するためになされたもので、受信電力の絶対値を正確に得ることができるとともに、次世代のＰＨＳにも対応した通信装置および受信電力測定方法を提供することを目的とする。
【課題を解決するための手段】
【００１３】
本発明に係る通信装置は、ＯＦＤＭＡ方式で通信を行う通信装置であって、受信信号と、該受信信号の１スロット中の複数の測定点においてそれぞれ測定した受信電力をスロット受信電力として出力する無線部と、前記受信信号にフーリエ変換処理を施すフーリエ変換部と、前記フーリエ変換部の出力と、前記スロット受信電力とを受け、１サブチャネルあたりの受信電力の絶対値であるサブチャネル受信電力を測定するサブチャネル受信電力測定部とを備え、前記サブチャネル受信電力測定部は、前記フーリエ変換部の出力に基づいて、１つのサブチャネルの相対受信電力値と１スロット内の全サブチャネルについての相対受信電力値の加算値とを求めて、前記１つのサブチャネルの相対受信電力値の比率を算出し、前記スロット受信電力を前記測定点の個数で除算して得たスロット受信電力の平均値と乗算することで前記サブチャネル受信電力を算出する。
【００１４】
本発明に係る通信装置の一態様は、前記サブチャネル受信電力測定部は、前記通信装置が、ＴＣＣＨとＳＣＣＨとを同時に受信した場合に、前記スロット受信電力の複数の測定点においてそれぞれ測定した前記スロット受信電力のうち、ＳＣＣＨのみの電力が含まれる第１のスロット受信電力を、ＴＣＣＨの電力とＳＣＣＨとの電力とを含む第２のスロット受信電力から差し引くことで、１つのサブスロットにおけるＴＣＣＨの受信電力の絶対値を算出する。
【００１５】
本発明に係る通信装置の一態様は、前記フーリエ変換部の出力を受け、前記ＴＣＣＨの受信信号と参照信号との複素共役をサブキャリアごとに乗算する複素共役乗算部と、前記複素共役乗算部での乗算後の信号を逆フーリエ変換することで、前記ＴＣＣＨの受信信号について前記参照信号との相関値を前記ＴＣＣＨの全パターンについて算出して前記サブチャネル受信電力測定部に与える逆フーリエ変換部とをさらに備え、前記サブチャネル受信電力測定部は、前記ＴＣＣＨの全パターンの前記相関値の加算値に対する特定のＴＣＣＨの相関値の比率を算出し、前記ＴＣＣＨの受信電力の絶対値と乗算することで、１つのサブスロットにおける前記特定のＴＣＣＨの受信電力の絶対値を算出する。
【００１６】
本発明に係る通信装置の一態様は、前記サブチャネル受信電力測定部は、前記通信装置が複数の異なる通信チャネルを同時に受信した場合に、前記スロット受信電力の複数の測定点においてそれぞれ測定した前記スロット受信電力のうち、前記複数の異なる通信チャネルのうち１のスロット受信電力を含む第１のスロット受信電力と、前記複数の異なる通信チャネルのそれぞれのスロット受信電力を含む第２のスロット受信電力との差分を用いて、１つのサブスロットにおける特定の通信チャネルの受信電力の絶対値を算出する。
【００１７】
本発明に係る通信装置の一態様は、前記フーリエ変換部によって周波数領域の信号に変換された前記複数の異なる通信チャネルのうち、特定の時間における１つの通信チャネルの全パターンの信号に対してそれぞれ相関演算を行い、それらの相関値の加算値に対して特定のパターンの相関値の比率を算出し、前記特定の通信チャネルの受信電力の絶対値と乗算することで、前記特定の時間における前記特定のパターンに対応する信号の受信電力の絶対値を算出する。
【００１８】
本発明に係る通信装置は、ＯＦＤＭＡ方式で通信を行う通信装置であって、複数のアンテナと、前記複数のアンテナにそれぞれに対応して設けられた、受信信号と、該受信信号の１スロット中の複数の測定点においてそれぞれ測定した受信電力をスロット受信電力として出力する無線部および前記受信信号にフーリエ変換処理を施すフーリエ変換部と、前記複数のアンテナにそれぞれに対応して設けられた前記無線部から出力される前記スロット受信電力を受け、アンテナ間での最大値を最大スロット受信電力として出力する最大値検出部と、前記フーリエ変換部の出力と、前記最大スロット受信電力とを受け、１サブチャネルあたりの受信電力の絶対値であるサブチャネル受信電力を測定するサブチャネル受信電力測定部とを備え、前記サブチャネル受信電力測定部は、前記フーリエ変換部の出力に基づいて、１スロット内の１つのサブチャネルに対応する相対受信電力値と１スロット内の全サブチャネルについての相対受信電力値の加算値とを求めて、前記１つのサブチャネルの相対受信電力値の比率を算出し、前記最大スロット受信電力と乗算することで前記サブチャネル受信電力を算出する。
【００１９】
本発明に係る通信装置の一態様は、前記サブチャネル受信電力測定部が、前記サブチャネル受信電力の算出において、前記最大スロット受信電力からブーストアップ分の電力を差し引く。
【００２０】
本発明に係る通信装置の一態様は、前記通信装置が、ＴＣＣＨを受信した場合に、前記サブチャネル受信電力測定部は、前記スロット受信電力の複数の測定点において測定した前記スロット受信電力のそれぞれについて、１スロット内の１つのサブチャネルに対応する相対受信電力値と１スロット内の全サブチャネルについての相対受信電力値の加算値とを求めて、前記１つのサブチャネルの相対受信電力値の比率を算出し、前記スロット受信電力に乗算するとともに、ＴＣＣＨが含まれるサブチャネルの電力に対するＴＣＣＨの電力の比を乗算することで、１つのサブスロットにおけるＴＣＣＨの受信電力の絶対値を算出する。
【００２１】
本発明に係る通信装置の一態様は、前記サブチャネル受信電力測定部が、前記ＴＣＣＨの受信電力の絶対値の算出において、ＴＣＣＨが含まれないサブチャネルの電力からブーストアップ分の電力を差し引く。
【００２２】
本発明に係る通信装置の一態様は、前記サブチャネル受信電力測定部が、複数のＴＣＣＨを同じタイミングで受信した場合、あるいは複数のＴＣＣＨを同じサブスロットで受信した場合、あるいは複数のＴＣＣＨを同じサブチャネルで受信した場合に、前記ＴＣＣＨの受信電力の絶対値に、ＴＣＣＨの相関平均値に対する相関ピーク値の比が相関演算の対象となる総シンボル数に対してどの程度の比率となるかの値を乗算することで、算出対象たるＴＣＣＨの受信電力の絶対値を算出する。
【００２３】
本発明に係る受信電力測定方法は、ＯＦＤＭＡ方式で通信を行う場合の受信電力測定方法であって、受信信号と、該受信信号の１スロット中の複数の測定点においてそれぞれ測定した受信電力であるスロット受信電力とを受け、前記受信信号にフーリエ変換処理を施した結果に基づいて、１つのサブチャネルの相対受信電力値と１スロット内の全サブチャネルについての相対受信電力値の加算値とを求めて、前記１つのサブチャネルの相対受信電力値の比率を算出し、前記スロット受信電力を前記測定点の個数で除算して得たスロット受信電力の平均値と乗算することで前記サブチャネル受信電力を算出する。
【００２４】
本発明に係る受信電力測定方法の一態様は、ＴＣＣＨとＳＣＣＨとを同時に受信した場合に、前記スロット受信電力の複数の測定点においてそれぞれ測定した前記スロット受信電力のうち、ＳＣＣＨのみの電力が含まれる第１のスロット受信電力を、ＴＣＣＨの電力とＳＣＣＨとの電力とを含む第２のスロット受信電力から差し引くことで、１つのサブスロットにおけるＴＣＣＨの受信電力の絶対値を算出する。
【００２５】
本発明に係る受信電力測定方法の一態様は、前記受信信号にフーリエ変換処理を施した結果を受け、前記ＴＣＣＨの受信信号と参照信号との複素共役をサブキャリアごとに乗算し、前記乗算後の信号を逆フーリエ変換することで、前記ＴＣＣＨの受信信号について前記参照信号との相関値を前記ＴＣＣＨの全パターンについて算出し、前記ＴＣＣＨの全パターンの前記相関値の加算値に対する特定のＴＣＣＨの相関値の比率を算出し、前記ＴＣＣＨの受信電力の絶対値と乗算することで、１つのサブスロットにおける前記特定のＴＣＣＨの受信電力の絶対値を算出する。
【００２６】
本発明に係る受信電力測定方法の一態様は、複数の異なる通信チャネルを同時に受信した場合に、前記スロット受信電力の複数の測定点においてそれぞれ測定した前記スロット受信電力のうち、前記複数の異なる通信チャネルのうち１のスロット受信電力を含む第１のスロット受信電力と、前記複数の異なる通信チャネルのそれぞれのスロット受信電力を含む第２のスロット受信電力との差分を用いて、１つのサブスロットにおける特定の通信チャネルの受信電力の絶対値を算出する。
【００２７】
本発明に係る受信電力測定方法の一態様は、周波数領域の信号に変換された前記複数の異なる通信チャネルのうち、特定の時間における１つの通信チャネルの全パターンの信号に対してそれぞれ相関演算を行い、それらの相関値の加算値に対して特定のパターンの相関値の比率を算出し、前記特定の通信チャネルの受信電力の絶対値と乗算することで、前記特定の時間における前記特定のパターンに対応する信号の受信電力の絶対値を算出する。
【発明の効果】
【００２８】
本発明に係る通信装置によれば、絶対値であるサブチャネル受信電力に基づいて移動端末器の送信電力制御などが可能となる。また、フーリエ変換処理後の受信信号を用いて１つのサブチャネルの相対受信電力値の比率を算出するので、フーリエ変換部内で出力信号の大きさがある一定の値になるようにシフト処理がなされていたとしても影響はなく、上記シフト処理がなされないことによる量子化誤差の増大は発生せず、通信装置の高性能を維持できる。
【００２９】
本発明に係る通信装置によれば、チャネルフォーマットによらない受信電力の測定が可能となる。
【００３０】
本発明に係る受信電力測定方法によれば、絶対値であるサブチャネル受信電力を測定することができる。また、フーリエ変換処理後の受信信号を用いて１つのサブチャネルの相対受信電力値の比率を算出するので、フーリエ変換処理において出力信号の大きさがある一定の値になるようにシフト処理がなされていたとしても影響はなく、上記シフト処理がなされないことによる量子化誤差の増大は発生を防止できる。
【００３１】
本発明に係る受信電力測定方法によれば、チャネルフォーマットによらずに受信電力を測定できる。
【図面の簡単な説明】
【００３２】
【図１】次世代のＰＨＳ方式のフレーム構成を示す図である。
【図２】ＥＸＣＨのフォーマットを示す図である。
【図３】本発明に係る通信装置の構成を示すブロック図である。
【図４】１スロットにおけるスロット受信電力の測定ポイントを説明する図である。
【図５】ＴＣＣＨのチャネルフォーマットを示す図である。
【図６】本発明に係る通信装置の変形例１の構成を示すブロック図である。
【図７】ＤＴＸのチャネルフォーマットを示す図である。
【図８】本発明に係る通信装置の変形例２の構成を示すブロック図である。
【図９】１スロットにおけるスロット受信電力の測定ポイントを説明する図である。
【図１０】従来のマルチキャリア変調信号復調器の構成を示すブロック図である。
【発明を実施するための形態】
【００３３】
＜実施の形態＞
＜次世代ＰＨＳのフレーム構成＞
次世代のＰＨＳ方式の通信システムでは、現行のＰＨＳと同様に１フレーム５ｍｓｅｃの期間に、アップリンク（ＵＬ）とダウンリンク（ＤＬ）とで、それぞれ２．５ｍｓｅｃずつ時分割され、また、ＵＬおよびＤＬは、それぞれ４つのタイムスロットに時分割されている。
【００３４】
ここで、図１には各タイムスロットが９個のサブチャネルで構成される場合のフレーム構成を示す。
【００３５】
すなわち、図１に示すように、アップリンク（ＵＬ）は、スロット１〜スロット４の４つに時分割され、ダウンリンク（ＤＬ）は、スロット５〜スロット８の４つに時分割され、各スロットは、サブチャネル１〜サブチャネル９の９個のサブチャネルで構成されている。また、次世代のＰＨＳ方式においては、各サブチャネルはＰＲＵ（Physical Resource Unit）とも呼称される。図１に示されるように、アップリンクにおいては、スロット１のサブチャネル１をＰＲＵ１と呼称し、スロット２のサブチャネル１をＰＲＵ２と呼称し、以後、ユニット番号を１つずつインクリメントしながらユニット番号が割り当てられ、サブチャネル２においてはＰＲＵ５から始まってＰＲＵ８までが割り当てられる。以下、スロット１〜スロット４について同様の規則でユニット番号が割り当てられ、ＰＲＵ１〜ＰＲＵ３６まで３６個のＰＲＵでアップリンクフレームが構成されている。なお、ダウンリンクについても同様にユニット番号が割り当てられるが、図示は省略している。
【００３６】
各ＰＲＵ（サブチャネル）は、２４個のサブキャリア、１９個のＯＦＤＭシンボルで構成されており、図２にはその一例として、ＥＸＣＨ（Extra Channel）と呼称されるデータチャネルのフォーマットを示す。
【００３７】
図２において、縦方向にＦ１〜Ｆ２４で示されるサブキャリアを、横方向にＳ１〜Ｓ１９で示されるＯＦＤＭシンボルを示しており、サブキャリアのうちＦ１およびＦ１３におけるシンボルＳ１〜Ｓ１９は、ヌルシンボルであり、ＤＣキャリアやガードキャリアとして使用され、サブキャリアＦ３、Ｆ７、Ｆ１１、Ｆ１５、Ｆ１９およびＦ２４のそれぞれにおけるシンボルＳ５、Ｓ９、Ｓ１３およびＳ１７がパイロットシンボルとして使用され、サブキャリアＦ１〜Ｆ２４におけるシンボルＳ１がトレーニングシンボルとして使用され、これら以外のシンボルがデータシンボルとして使用される。
【００３８】
＜通信装置の構成＞
図３は、本発明に係る通信装置１００の構成を示すブロック図である。図３に示すように、通信装置１００は、アレイアンテナＡＴと、無線部ＲＦとベースバンド処理部ＢＢ１と、受信処理部２１と、受信状態判定部２２とを備えている。なお、図３においては、受信部のみを示しており、送信部については図示および説明を省略している。
【００３９】
通信装置１００において、アレイアンテナＡＴで受信した受信信号は無線部ＲＦに入力され、無線部ＲＦでは、受信信号ＲＸＩＦと、受信信号の１スロット中の特定の複数の測定点で受信電力を測定してスロット受信電力（ＲＳＳＩ：Receive Signal Strength Indication）としてベースバンド処理部ＢＢ１に与える構成となっている。
【００４０】
ベースバンド処理部ＢＢ１は、アナログ信号である受信信号ＲＸＩＦを受けてデジタル信号に変換して出力するアナログ−デジタルコンバータ（ＡＤＣ）１１、ＡＤＣ１１から出力されるデジタル化された受信信号にフィルタ処理を行うフィルタ１２、フィルタ１２から出力される、フィルタリングされた受信信号からガードインターバル（ＧＩ）を除去するＧＩ除去部１３、ＧＩを除去した後の受信信号に高速フーリエ変換（ＦＦＴ）を施すＦＦＴ部１４、ＦＦＴ処理後の受信信号と、ＦＦＴ処理を経ないスロット受信電力とに基づいて、１サブチャネルあたりの受信電力の絶対値であるサブチャネル受信電力を測定するサブチャネル受信電力測定部１５と、スロット受信電力を受けてデジタル信号に変換してサブチャネル受信電力測定部１５に与えるＡＤＣ１６とを有している。
【００４１】
ＦＦＴ部１４から出力されるＦＦＴ処理後の受信信号は、受信処理部２１に与えられて所定の受信処理が施され、通信装置１００の使用者に視聴可能な信号に変換され、サブチャネル受信電力測定部１５によって測定された受信電力の絶対値は、例えば、受信状態判定部２２に与えられて、測定対象となった受信信号を送信した移動端末器の送信電力制御などに使用される。
【００４２】
ＦＦＴ部１４では、量子化誤差を小さくするため、振幅値がある一定の閾値を越えない範囲でできるだけ大きくなるようにシフトされるので、ＦＦＴ処理後の受信信号からは受信電力の絶対値を測定することができない。
【００４３】
しかし、通信装置１００においては、スロット受信電力をＦＦＴ処理せずにサブチャネル受信電力測定部１５に与えることで、受信電力の絶対値を測定することが可能となる。以下、サブチャネル受信電力測定部１５の動作について説明する。
【００４４】
＜サブチャネル受信電力測定＞
ＦＦＴ処理によってサブチャネルごとに処理することが可能となるので、まず、サブチャネル受信電力測定部１５では、ＦＦＴ処理後の受信信号から各サブチャネルの相対受信電力値を計算する。
【００４５】
すなわち、１スロットを構成する各サブチャネルには、図２に示すように、シンボルＳ５、Ｓ９、Ｓ１３およびＳ１７のそれぞれに６個ずつ、計２４個のパイロットシンボルが含まれており、それらの個々についてＩ成分（同相成分）、Ｑ成分（直交位相成分）の２乗和を求めそれを合計したものを１スロット内におけるｎ番目のサブチャネルの相対受信電力値ｒｘｐｏｗｅｒ（ｎ）として算出する。
【００４６】
これを、１スロットを構成する９個のサブチャネルのそれぞれについて算出し、それらを加算したものを、１スロット内における全サブチャネルの相対受信電力値の加算値Σｒｘｐｏｗｅｒとして算出する。
【００４７】
次に、サブチャネルの相対受信電力値ｒｘｐｏｗｅｒ（ｎ）を全サブチャネルの相対受信電力値の加算値Σｒｘｐｏｗｅｒで割ることで、１スロット内の全サブチャネルの相対受信電力値に対する１つのサブチャネルの相対受信電力値の比率、すなわち相対電力比を求める。
【００４８】
次に、スロット受信電力（ＲＳＳＩ）の平均値を求める。すなわち、次世代ＰＨＳではスロット受信電力は４つのシンボル位置に対して測定される。ここで、図４を用いて、１スロットにおけるスロット受信電力の測定ポイントを説明する。
【００４９】
図４においては、縦方向にサブチャネル１〜サブチャネル９の９個のサブチャネルを示し、横方向にＯＦＤＭシンボルＳ１〜Ｓ１９を示しており、シンボルＳ１、Ｓ５、Ｓ９、Ｓ１３およびＳ１７の位置での受信電力を、それぞれスロットＲＳＳＩ（１）、スロットＲＳＳＩ（２）、スロットＲＳＳＩ（３）、スロットＲＳＳＩ（４）およびスロットＲＳＳＩ（５）と呼称し、このうち、スロットＲＳＳＩ（１）以外を使用する。
【００５０】
無線部ＲＦでは、スロットＲＳＳＩ（１）〜スロットＲＳＳＩ（５）が測定され、スロット受信電力としてサブチャネル受信電力測定部１５に与えられる。
【００５１】
スロット受信電力は、ＦＦＴ処理を経ずに絶対値としてサブチャネル受信電力測定部１５に与えられ、サブチャネル受信電力測定部１５では、スロットＲＳＳＩ（１）〜スロットＲＳＳＩ（５）のうち、スロットＲＳＳＩ（２）〜スロットＲＳＳＩ（５）について加算を行い、スロット受信電力の加算値ΣＲＳＳＩslotを算出する。そして、加算値ΣＲＳＳＩslotを測定ポイント数４で割ることで、スロット受信電力の平均値（絶対値）を求める。この、スロット受信電力の平均値に、先に求めた相対電力比を掛けることで、１スロット内におけるｎ番目のサブチャネルの受信電力（絶対値）ＲＳＳＩsubch（ｎ）を得ることができる。
【００５２】
以上説明した、１スロット内におけるｎ番目のサブチャネルの受信電力（絶対値）ＲＳＳＩsubch（ｎ）を算出する数式（１）を以下に示す。
【００５３】
【数１】
2010226696.tif 000003
【００５４】
上式において、各パラメータは以下のように定義される。
【００５５】
ＲＳＳＩsubch（ｎ）：１スロット内におけるｎ番目のサブチャネルの受信電力
ΣＲＳＳＩslot：スロット受信電力の加算値
ｒｘｐｏｗｅｒ（ｎ）：１スロット内におけるｎ番目のサブチャネルの相対受信電力値
Σｒｘｐｏｗｅｒ：１スロット内における全サブチャネルの相対受信電力値の加算値
上記数式（１）に、例えば、１番目のサブチャネルの相対受信電力値を与えることで１番目のサブチャネルの受信電力の絶対値を求めることができる。
【００５６】
なお、上述した数式（１）は、電力比を求める式であるので対数を採って１０倍するように表記されており、数式（１）を変形すると、以下の数式（２）で表すことができる。
【００５７】
【数２】
2010226696.tif 000004
【００５８】
＜効果＞
以上説明したように、通信装置１００においては、スロット受信電力をＦＦＴ処理せずにサブチャネル受信電力測定部１５に与え、ＦＦＴ処理後の受信信号から算出した、１スロット内の全サブチャネルの相対受信電力値に対する１つのサブチャネルの相対受信電力値の比率（相対電力比）との乗算により、サブチャネルの受信電力の絶対値を求めることができるので、当該絶対値に基づいて移動端末器の送信電力制御などが可能となる。
【００５９】
また、ＦＦＴ処理後の受信信号を用いて相対電力比を算出するので、ＦＦＴ部１４内で出力信号の大きさがある一定の値になるようにシフト処理がなされていたとしても影響はなく、上記シフト処理がなされないことによる量子化誤差の増大は発生せず、通信装置１００は高性能を維持できる。
【００６０】
＜ＴＣＣＨの受信電力測定＞
また、通信装置１００においては、上述した効果以外に以下の効果も期待することができる。すなわち、先に説明したように、フーリエ変換処理後の信号からは、時間軸の情報が失われるので、３個のＯＦＤＭシンボルしか送信しないＴＣＣＨではフーリエ変換処理後の信号からは受信電力の測定が困難となる。
【００６１】
しかし、通信装置１００においては、ＦＦＴ処理を経ないスロット受信電力（ＲＳＳＩ）を利用することでＴＣＣＨにおいても受信電力の測定が可能となる。
【００６２】
まず、図５を用いてＴＣＣＨのチャネルフォーマットを示す。図５において、縦方向にＦ１〜Ｆ２４で示されるサブキャリアを、横方向にＳ１〜Ｓ１９で示されるＯＦＤＭシンボルを示しており、ＯＦＤＭシンボルＳ３〜Ｓ５、ＯＦＤＭシンボルＳ７〜Ｓ９、ＯＦＤＭシンボルＳ１１〜Ｓ１３およびＯＦＤＭシンボルＳ１５〜Ｓ１７で括られるＯＦＤＭシンボルのグループを、それぞれサブスロット１、サブスロット２、サブスロット３およびサブスロット４と呼称する。
【００６３】
ＴＣＣＨは、サブスロット１〜４のうち、何れか１つで送信されるので、サブスロットｍにおける受信電力の絶対値ＲＳＳＩsubslot（ｍ）は、以下の数式（３）で算出できる。
【００６４】
【数３】
2010226696.tif 000005
【００６５】
ここで、ｍは図５におけるサブスロット１〜４の番号である。
【００６６】
すなわち、図４を用いて説明した５つのスロット受信電力の測定ポイントで測定されるスロット受信電力のうち、スロットＲＳＳＩ（２）〜スロットＲＳＳＩ（５）にはＴＣＣＨが含まれる可能性があるが、スロットＲＳＳＩ（１）には、ＴＣＣＨを含まないものと決められている。
【００６７】
ここで、アップリンクにおいてはＴＣＣＨの他にＳＣＣＨ（Signaling Control Channel）と呼称される制御チャネルを使用するが、複数の移動端末器からＴＣＣＨとＳＣＣＨとが同時に送信された場合、スロットＲＳＳＩ（１）はＳＣＣＨのみの受信電力となり、スロットＲＳＳＩ（２）〜スロットＲＳＳＩ（５）はＳＣＣＨとＴＣＣＨとの合計電力となる。
【００６８】
従って、数式（３）に示されるようにＯＦＤＭシンボルＳ５、Ｓ９、Ｓ１３およびＳ１７の何れかのスロット受信電力（ＲＳＳＩslot（ｍ＋１））から、ＯＦＤＭシンボルＳ１のスロット受信電力（ＲＳＳＩslot（１））を差し引けば、サブスロットｍにおけるＴＣＣＨの受信電力の絶対値ＲＳＳＩsubslot（ｍ）が得られることになる。
【００６９】
このように、通信装置１００においては、次世代のＰＨＳで使用されるＴＣＣＨの受信電力の絶対値も測定することができる。
【００７０】
なお、ＴＣＣＨが含まれるサブチャネルのサブチャネル受信電力は、数式（１）で算出したサブチャネルの受信電力（絶対値）ＲＳＳＩsubch（ｎ）から、数式（３）で算出したＴＣＣＨの受信電力の絶対値を差し引いた値となる。
【００７１】
＜変形例１＞
また、図６に示す通信装置１００Ａのような構成を採ることで、１つのサブスロットに複数のＴＣＣＨが含まれた場合であっても、それぞれのＴＣＣＨの受信電力の絶対値を測定することができる。
【００７２】
図６に示す通信装置１００Ａのベースバンド処理部ＢＢ２においては、図３に示したベースバンド処理部ＢＢ１の構成に加えて、複素共役乗算部１７および逆高速フーリエ変換（ＩＦＦＴ）部１８を有し、ＦＦＴ部１５から出力されるＦＦＴ処理後の受信信号は、受信処理部２１に与えられるとともに複素共役乗算部１７に与えられてＴＣＣＨの受信信号と参照信号との複素共役をサブキャリアごとに乗算する。そして、複素共役乗算部１７での乗算後の信号はＩＦＦＴ部１８に与えられて逆フーリエ変換されることで、ＴＣＣＨの受信信号と参照信号との相関値が算出され、当該相関値がサブチャネル受信電力測定部１５に与えられる構成となっている。
【００７３】
サブチャネル受信電力測定部１５では、与えられた相関値に基づいて、以下の数式（４）を用いることでサブスロット中の特定のＴＣＣＨの受信電力の絶対値を算出する。
【００７４】
【数４】
2010226696.tif 000006
【００７５】
なお、上述した数式（４）は、電力比を求める式であるので対数を採って１０倍するように表記されており、数式（４）を変形すると、以下の数式（５）で表すことができる。
【００７６】
【数５】
2010226696.tif 000007
【００７７】
上式において、各パラメータは以下のように定義される。
【００７８】
ＲＳＳＩtcch（ｍ，ｎ）：サブスロットｍにおける特定のＴＣＣＨｎの受信電力
ＲＳＳＩsubslot（ｍ）：サブスロットｍにおけるＴＣＣＨの受信電力の絶対値
Σｃｏｒｒ：ＴＣＣＨの全パターンについての受信信号と参照信号との相関値の加算値
ｃｏｒｒ（ｎ）：特定のＴＣＣＨｎの受信信号と参照信号との相関値
上記数式（４）において、受信電力の絶対値ＲＳＳＩsubslot（ｍ）は、数式（３）により求めることができ、相関値ｃｏｒｒ（ｎ）は、以下の数式（６）〜（９）から導かれる数式（１０）で求めることができる。
【００７９】
ＦＦＴ部１５においてＦＦＴ処理をすることでサブキャリアごとの信号が得られ、そのうちのＴＣＣＨを含んでいるサブキャリアを取り出してＴＣＣＨ受信信号Ｔとし、参照信号をＲとすれば、ＴＣＣＨ受信信号Ｔおよび参照信号Ｒはそれぞれ数式（６）および（７）で表すことができる。
【００８０】
【数６】
2010226696.tif 000008
【００８１】
【数７】
2010226696.tif 000009
【００８２】
ここで、ＴＣＣＨ受信信号には干渉波などは含まれていないものとし、ＡはＴＣＣＨの振幅変動量、τはＴＣＣＨのタイミング誤差、ｆは周波数、πは円周率、ｊは虚数単位、Ｎはサブキャリア番号を表す。
【００８３】
次に、上記数式（６）および（７）に基づいて、ＴとＲの複素共役を乗算した値ＴＲを以下の数式（８）で求める。この処理は複素共役乗算部１７においてなされる。
【００８４】
【数８】
2010226696.tif 000010
【００８５】
次に、ＩＦＦＴ部１８においてＴＲに対してＩＦＦＴ処理を施すことで以下の数式（９）が得られる。
【００８６】
【数９】
2010226696.tif 000011
【００８７】
上記数式（９）においてｅはネイピア数を表す。
【００８８】
そして数式（９）におけるｘ（ｋ）の実数成分と虚数成分の２乗和Ｘ（ｋ）は、以下の数式（１０）で表すことができる。
【００８９】
【数１０】
2010226696.tif 000012
【００９０】
ここで、ｋ＝−Ｎｆτを代入することでＴＣＣＨの受信電力が得られる。
【００９１】
実際にはτは不明な値なので、ｋの値を変えながらＸ（ｋ）を算出し、その値が最大になる値がｋ＝−Ｎｆτとなるポイントであるとみなし、その最大値を特定のＴＣＣＨｎの受信信号と参照信号との相関値ｃｏｒｒ（ｎ）とする。
【００９２】
ここで、ＴＣＣＨのパターンは全部で６つであり、その１つ１つについて参照信号との相関値ｃｏｒｒ（ｎ）を上記数式（１０）から求め、それらを加算することでΣｃｏｒｒを算出する。
【００９３】
次に、相関値ｃｏｒｒ（ｎ）を相関値の加算値Σｃｏｒｒで割ることで、相関値の比率を求め、ＴＣＣＨの受信電力の絶対値ＲＳＳＩsubslot（ｍ）を掛けることで、数式（４）で示されるように、サブスロットｍにおける特定のＴＣＣＨｎの受信電力ＲＳＳＩtcch（ｍ，ｎ）を得ることができる。
【００９４】
すなわち、参照信号との相関の大きいものほど電力も高いので、６パターンのＴＣＣＨのそれぞれについて参照信号との相関を数値化し、各ＴＣＣＨの比率を求め、それをすべてのＴＣＣＨを含んだ受信電力の絶対値ＲＳＳＩsubslot（ｍ）に掛けることで、各ＴＣＣＨの受信電力の絶対値を得ることができる。
【００９５】
なお、以上の説明においてはＴＣＣＨとＳＣＣＨを例に採って説明したが、同様の関係を満たす通信チャネルであれば、本発明の適用はこれに限定されるものではない。
【００９６】
＜変形例２＞
次世代のＰＨＳでは、図７に示すようなデータが含まれないＤＴＸフォーマットが存在している。ＤＴＸフォーマットは、データ量がフォーマットの容量よりも極めて少ないか、あるいは接続を維持するためにデータ量ゼロで使用されるフォーマットである。
【００９７】
従って、ＤＴＸフォーマットを受信するとスロットＲＳＳＩ（２）〜スロットＲＳＳＩ（５）が小さくなることがある。このような場合には、サブチャネルごとの受信電力も小さくなり、測定精度に問題が生じる。
【００９８】
図８は、通信装置１００Ｂの構成を示すブロック図である。図８に示すように、通信装置１００Ｂは、アレイアンテナＡＴの各アンテナごとに、無線部ＲＦとベースバンド処理部ＢＢ１とを備えている。なお、図３に示した通信装置１００と同一の構成については同一の符号を付し、重複する説明は省略する。
【００９９】
通信装置１００Ｂにおいて、各アンテナＡＴで受信した受信信号は無線部ＲＦに入力され、無線部ＲＦでは、受信信号ＲＸＩＦと、受信信号の１スロット中の特定の複数の測定点（図４の場合には時間的に異なるシンボルＳ１、Ｓ５、Ｓ９、Ｓ１３、Ｓ１７の５箇所）で受信電力を測定してスロット受信電力（ＲＳＳＩ：Receive Signal Strength Indication）としてベースバンド処理部ＢＢ１に与える構成となっている。
【０１００】
図８に示す通信装置１００Ｂでは、各時間において測定されたアンテナごとのスロット受信電力から、アンテナ間における最大値を検出するＲＳＳＩ最大値検出部１９を備え、当該ＲＳＳＩ最大値検出部１９で検出された各時間における最大値は、最大スロット受信電力ＲＳＳＩslot（ｔ）と表され、サブチャネル受信電力測定部１５に与えられる。
【０１０１】
また、ＦＦＴ部１４から出力されるＦＦＴ処理後の受信信号は、ｒｘｐｏｗｅｒ１（ｔ）と表され、サブチャネル受信電力測定部１５に与えられる。
【０１０２】
次世代のＰＨＳにおいては、トレーニングシンボルとパイロットシンボルの電力が２．５ｄＢ分だけブーストアップされている。そのため、スロットＲＳＳＩ（１）〜スロットＲＳＳＩ（５）においては、それぞれ以下のシンボルの合計電力となっている。
【０１０３】
スロットＲＳＳＩ（１）：２．５ｄＢブーストシンボル(トレーニング)×２２シンボル(ガードキャリア、ＤＣキャリア除く)
スロットＲＳＳＩ（２）〜スロットＲＳＳＩ（５）：２．５ｄＢブーストシンボル（パイロット）×６シンボル＋データシンボル×１６シンボル(ガードキャリア、ＤＣキャリア除く)
従って、受信タイミングが理想的であれば、スロットＲＳＳＩ（１）〜スロットＲＳＳＩ（５）において最も電力の大きいのはスロットＲＳＳＩ（１）となる。
【０１０４】
このようなスロットＲＳＳＩのフォーマットおよび図７に示したＤＴＸフォーマットを考慮した場合の、１スロット内におけるｎ番目のサブチャネルの受信電力（絶対値）ＲＳＳＩsubch（ｎ）を算出する数式（１１）を以下に示す。
【０１０５】
【数１１】
2010226696.tif 000013
【０１０６】
上式において、各パラメータは以下のように定義される。
【０１０７】
ＲＳＳＩsubch（ｎ）：１スロット内におけるｎ番目のサブチャネルの受信電力
ＲＳＳＩslot（１）：図４のシンボルＳ１で測定したスロットＲＳＳＩ（１）の受信電力
ｒｘｐｏｗｅｒ１（ｎ）：１スロット内におけるサブチャネル（ｎ）のシンボルＳ１の相対受信電力値
Σｒｘｐｏｗｅｒ１：１スロット内における全サブチャネルのシンボルＳ１の相対受信電力値の加算値
２．５ｄＢ：２．５ｄＢブーストアップされたシンボルＳ１のスロットＲＳＳＩを正規の電力へ換算するための値
ここで、ＲＳＳＩslot（１）は、ＲＳＳＩ最大値検出部１９で検出されたシンボルＳ１の時間におけるアンテナ間での最大値である。
【０１０８】
また、相対受信電力値（ｒｘｐｏｗｅｒ（ｎ））とは、先に説明したように１スロットにおけるスロット受信電力の測定ポイントにて測定するＩ成分、Ｑ成分の２乗和の合計値である。
【０１０９】
図９は、スロット受信電力の測定ポイントを模式的に示した図４において、各ポイントを記入した図である。
【０１１０】
図９に示すように、サブチャネルごとの受信電力は、シンボルＳ１、Ｓ５、Ｓ９、Ｓ１３およびＳ１７の位置に対応するｒｘｐｏｗｅｒ１〜ｒｘｐｏｗｅｒ５の５ポイントの出力から、ｒｘｐｏｗｅｒ１のみを使用する。なお、ｒｘｐｏｗｅｒ２〜ｒｘｐｏｗｅｒ５については後述するＴＣＣＨの受信電力演算に使用する。
【０１１１】
スロット受信電力（スロットＲＳＳＩ）は、そのスロット内の全てのサブチャネルの加算値であるとみなすことができるので、上記数式（１１）によって各サブチャネルの受信電力を得ることができれば、それらを加算することで、スロット受信電力の絶対値を得ることができる。
【０１１２】
このように、時間的に異なる複数の測定ポイントで測定する事により、チャネルフォーマットによらない受信電力の測定が可能となる。
【０１１３】
また、ＴＣＣＨフォーマットは、端末からの送信タイミングや送信電力の調整を行うために、ＬＣＨ（Link Channel）確立要求として、送信タイミングと送信電力の調整を行うために端末から送信されるが、先に数式（３）〜（５）を用いて説明したＴＣＣＨの受信電力の算出方法では、全ての参照信号に電力を分配しているため、全く関係のない参照信号にも電力を分配することとなり、所望の参照信号における受信電力の算出精度が低くなるという可能性があるが、以下の方法により受信電力を算出することで、受信電力の算出精度を高めることができる。
【０１１４】
ＴＣＣＨは、図５に示すフォーマットのように、サブスロット１〜サブスロット４のいずれか１つから送信される。また、ＴＣＣＨは使用帯域においてＣＣＨ（Common Channel）で使用するサブチャネルを利用して送信される。
【０１１５】
基地局においては、どのサブスロットで送信されてくるかは不明であるため、すべてのサブスロットを測定しなければならない。従って、下記の数式（１２）に従って、スロットＲＳＳＩ（２）〜スロットＲＳＳＩ（５）と、サブスロットごとにＴＣＣＨが含まれるサブチャネルとＴＣＣＨが含まれないサブチャネルの電力の比よりＴＣＣＨの受信電力を算出する。
【０１１６】
【数１２】
2010226696.tif 000014
【０１１７】
上式において、各パラメータは以下のように定義される。
【０１１８】
ＲＳＳＩtcch（ｍ）：１スロット内におけるｍ番目のサブスロットに含まれるＴＣＣＨの受信電力（ｍ＝１，２，３，４）
ＲＳＳＩslot（ｍ＋１）：１スロット内におけるシンボルＳ５、Ｓ９、Ｓ１３、Ｓ１７で測定したスロットＲＳＳＩ（２）〜スロットＲＳＳＩ（５）
ｒｘｐｏｗｅｒm+1（１）：１スロット内におけるｍ番目のサブスロットに含まれるサブチャネル１の相対受信電力値
Σｒｘｐｏｗｅｒm+1：１スロット内におけるｍ番目のサブスロットの全サブチャネルの相対受信電力値の加算値
ｒｘｐｏｗｅｒ1（１）：１スロット内におけるサブチャネル１のシンボルＳ１の相対受信電力値
ｒｘｐｏｗｅｒ1（１）／１．７７８２７９４１：２．５ｄＢブーストアップされたｒｘｐｏｗｅｒ1（１）を正規の電力へ換算するための値
ここで、ＲＳＳＩslot（ｍ＋１）は、ＲＳＳＩ最大値検出部１９で検出された各時間におけるアンテナ間での最大値である。
【０１１９】
数式（１２）の展開前の式において、第１項は各サブスロットのスロットＲＳＳＩ、第２項は第１項のスロットＲＳＳＩから当該サブスロットのＴＣＣＨが含まれるサブチャネルの受信電力への変換式、第３項は上記ＴＣＣＨが含まれるサブチャネルの受信電力からＴＣＣＨのみの受信電力を算出するための変換式である。
【０１２０】
さらに説明すれば、第３項はＴＣＣＨが含まれるサブチャネルの電力に対する、ＴＣＣＨの電力の比を表している。
【０１２１】
上記演算をサブスロットごとに行い、ＴＣＣＨの受信電力を算出する。
【０１２２】
なお、上記演算は、ＣＣＨがサブチャネル１で送信されている場合を想定しており、ＣＣＨがサブチャネル９で送信されていれば、ｒｘｐｏｗｅｒm+1（１）をｒｘｐｏｗｅｒm+1（９）に、ｒｘｐｏｗｅｒ1（１）をｒｘｐｏｗｅｒ1（９）に変更して算出する。
【０１２３】
また、Ｄｕａｌ−ＣＣＨモードにおいては、サブチャネル１およびサブチャネル９のいずれかにてＴＣＣＨが送信されるため、両サブチャネルにおいてＴＣＣＨの受信電力を算出する。
【０１２４】
次に、上述した演算で得られたＴＣＣＨの受信電力から、所望のＴＣＣＨの受信電力を算出する方法について説明する。
【０１２５】
ＴＣＣＨは、端末より送信されるタイミング、サブスロット、サブチャネル（Ｄｕａｌ−ＣＣＨモードの場合）については基地局では未知であるため、複数のＴＣＣＨが同じタイミング、サブスロット、サブチャネルで送信される場合がある。
【０１２６】
ＴＣＣＨの検出には基地局で予め用意しているすべてのＴＣＣＨのパターンで相関演算を行っており、相関ピーク値と相関平均値の比より検出している。
【０１２７】
相関ピーク値と相関平均値は、検出されたＴＣＣＨのパターンごとに出力されるので、これら相関ピーク値と相関平均値より、下記の数式（１３）を用いて算出対象のＴＣＣＨの受信電力（ＲＳＳＩtcch）を算出する。
【０１２８】
【数１３】
2010226696.tif 000015
【０１２９】
上式において、
γ：ＴＣＣＨ相関ピーク値／ＴＣＣＨ相関平均値
PeakParam：相関演算シンボル数２２（総シンボル数２４からガードキャリア、ＤＣキャリアを除いたもの）
上記演算をサブスロットごと、ＣＣＨ使用サブチャネルごと、検出されたＴＣＣＨごとに行い、算出対象たるＴＣＣＨの受信電力を算出する。
【０１３０】
このように、ＴＣＣＨフォーマットの受信電力についても、ＴＣＣＨの相関ピーク値と相関平均値との比を用いて算出することにより、ＴＣＣＨ受信電力の精度を保持することができる。
【符号の説明】
【０１３１】
１４  ＦＦＴ部
１５  サブチャネル受信電力測定部
１７  複素共役乗算部
１８  ＩＦＦＴ部
１９  ＲＳＳＩ最大値検出部
ＲＦ  無線部
【図１】
2010226696.tif 000016
【図２】
2010226696.tif 000017
【図３】
2010226696.tif 000018
【図４】
2010226696.tif 000019
【図５】
2010226696.tif 000020
【図６】
2010226696.tif 000021
【図７】
2010226696.tif 000022
【図８】
2010226696.tif 000023
【図９】
2010226696.tif 000024
【図１０】
2010226696.tif 000025